(57)【特許請求の範囲】
【請求項１】
コンクリート製の底盤と側壁とからなる沈殿池槽を、上記底盤が地中に埋設されるように築造し、原水流入管及び汚泥排出管を、上記側壁を貫通させて槽内に導き上記底盤上を這わせて槽内中心部に先端部を位置させるように配管し、且つ上記底盤の上面に、無筋コンクリートによる内底盤を、上記底盤上に配管された原水流入管や汚泥排出管の外径寸法よりも高くなるような厚みで周方向に一様に布設して、上記原水流入管及び汚泥排出管を無筋コンクリートで覆い、該内底盤内に上記原水流入管及び汚泥排出管を収納させるようにした構成を有することを特徴とする沈殿池槽設備。
【請求項２】
内底盤内への原水流入管及び汚泥排出管の収納を、内底盤に予め原水流入管、汚泥排出管を収納できるスペースを有する配管収納用凹部をそれぞれ形成して、該各配管収納用凹部内に原水流入管、汚泥排出管を収納させ、且つ該配管収納用凹部内と原水流入管及び配管収納用凹部内と汚泥排出管との隙間に充填材を充填させると共に該充填材で原水流入管及び汚泥排出管の上面を覆うようにした請求項１記載の沈殿池槽設備。
【請求項３】
配管収納用凹部に充填材を充填することに代えて、配管収納用凹部に蓋を着脱自在に配置して該配管収納用凹部を塞ぐようにし、該配管収納用凹部と蓋との間に原水流入管及び汚泥排出管を収納させるようにした請求項２記載の沈殿池槽設備。
【発明の詳細な説明】
【０００１】
【発明の属する技術分野】
本発明は下水を処理する過程で用いる沈殿池槽設備に関するものである。
【０００２】
【従来の技術】
活性汚泥法を採用した従来の水処理方式としては、図４に一例を示す如く、原水槽１内に入れられた下水の如き原水２を、流量調整槽３に一旦移し、次に、該流量調整槽３内の原水２を曝気槽４に入れ、ここで、散気管５を通しエアを吹き込むことにより原水２と活性汚泥を混合攪拌して、原水２中の有機物を活性汚泥に酸化、分解させるようにし、しかる後、上記活性汚泥と共に原水２を沈殿池６に移して活性汚泥を沈降させ、その上澄みとしての濾過水７を処理水として処理水槽８に回収させるようにし、一方、汚泥は汚泥排出管を通して取り出すようにしたものがある。９は吸引ポンプ、１０はスクリーン、１１はブロワ、１２は脱水機を示す。
【０００３】
上記沈殿池６を有する沈殿池槽設備としては、図５に示す如きものがある。すなわち、漏斗状に形成し且つ中心部に汚泥ピット１３を形成した鉄筋コンクリート製の底盤１４と、円筒状に形成した鉄筋コンクリート製の側壁１５とからなる所謂円形沈殿池槽１６を、上記底盤１４が地中に埋設されるように築造して、槽内を沈殿池６とするようにしてある。
【０００４】
上記沈殿池槽１６には、図４に示す曝気槽４から導いた原水流入管１７を、底盤１４の下側を通し汚泥ピット１３の位置まで導設して、原水２を沈殿池６に導入できるようにすると共に、汚泥排出管１８を、汚泥ピット１３の位置から底盤１４の下側を通し沈殿池槽１６外に設けた汚泥槽１９の位置まで導設して、汚泥ピット１３内に溜った汚泥２０を排出できるようにし、更に、側壁１５の上端部付近に溢流口２１を設け、且つ該溢流口２１から溢流した濾過水７を受ける溢流トラフ２２を、側壁１５の上端部外周に設けて、溢流トラフ２２から図４に示す処理水槽８に濾過水７を送るようにしてある。
【０００５】
又、上記沈殿池槽１６内の中心部には、上部側及び下部側に原水２や汚泥２０が自由に流通できる流通路２３ａ及び２３ｂを設けた支持筒２３を、汚泥ピット１３の位置から上方へ立ち上がるように設けると共に、該支持筒２３の上端部に、水平に張り出すプラットホーム２４を設け、該プラットホーム２４上にモータ２５を設置し、且つ該モータ２５により回転駆動されるスクリュー２６を上記支持筒２３内に配置して、攪拌装置２７を構成し、上記スクリュー２６の回転により、下部側の流通路２３ｂを通り支持筒２３内に流入した原水２を上昇させて上部側の流通路２３ａから支持筒２３外へ流出させるようにしてある。
【０００６】
更に、上記沈殿池槽１６の側壁１５の上端面に、走行台車２８を搭載させ、該走行台車２８とプラットホーム２４の中心部に設置した軸受２９との間に架構３０を渡し、該架構３０の中間部より垂下させた掻寄せ支柱３１の下端に、アーム３２を介して掻寄せ板３３を取り付けて、集泥機３４を構成し、上記走行台車２８を、走行用モータ２８ａの駆動で円周方向に走行させることにより、架構３０、掻寄せ支柱３１、アーム３２を介し掻寄せ板３３を回動させて、底盤１４上の汚泥２０を掻寄せて汚泥ピット１３内に集められるようにしてある。
【０００７】
【発明が解決しようとする課題】
ところが、上記沈殿池槽設備の場合、原水流入管１７や汚泥排出管１８としては、鋼管、鋳鉄管等が使用されるが、これら原水流入管１７や汚泥排出管１８は沈殿池槽１６の底盤１４の下を通る地中埋設構造となるため、保守が困難であり、特に、鋼管製とした場合は、長期間使用すると腐食等を起す可能性が高く、水漏れが発生しても補修が極めて困難であり、延いては、水漏れに起因して周辺の地盤沈下を生じさせる問題が惹起される。
【０００８】
そこで、本発明は、原水流入管及び汚泥排出管の保守や補修を容易に行うことができるようにしようとするものである。
【０００９】
【課題を解決するための手段】
本発明は、上記課題を解決するために、コンクリート製の底盤と側壁とからなる沈殿池槽を、上記底盤が地中に埋設されるように築造し、原水流入管及び汚泥排出管を、上記側壁を貫通させて槽内に導き上記底盤上を這わせて槽内中心部に先端部を位置させるように配管し、且つ上記底盤の上面に、無筋コンクリートによる内底盤を、上記底盤上に配管された原水流入管や汚泥排出管の外径寸法よりも高くなるような厚みで周方向に一様に布設して、上記原水流入管及び汚泥排出管を無筋コンクリートで覆い、該内底盤内に上記原水流入管及び汚泥排出管を収納させるようにした構成とする。
【００１０】
原水流入管や汚泥排出管の保守や補修が必要となった場合は、内底盤の配管収納個所の表面だけを部分的に除去するようにする。これにより、原水流入管や汚泥排出管を露出させることができるようになるので、槽内からの保守や補修が容易となる。
【００１１】
又、内底盤内への原水流入管及び汚泥排出管の収納を、内底盤に予め原水流入管、汚泥排出管を収納できるスペースを有する配管収納用凹部をそれぞれ形成して、該各配管収納用凹部内に原水流入管、汚泥排出管を収納させ、且つ該配管収納用凹部内と原水流入管及び配管収納用凹部内と汚泥排出管との隙間に充填材を充填させると共に該充填材で原水流入管及び汚泥排出管の上面を覆うようにした構成とすることにより、内底盤の一部を除去することなく、充填材だけを取り去るようにすれば、原水流入管や汚泥排出管を露出させることができるので、復旧作業がより容易となる。
【００１２】
更に、配管収納用凹部に充填材を充填することに代えて、配管収納用凹部に蓋を着脱自在に配置して該配管収納用凹部を塞ぐようにし、該配管収納用凹部と蓋との間に原水流入管及び汚泥排出管を収納させるようにした構成とすることにより、蓋の着脱だけで配管収納用凹部を開閉できるようになる。
【００１３】
【発明の実施の形態】
以下、本発明の実施の形態を図面を参照して説明する。
【００１４】
図１（イ）（ロ）は本発明の実施の一形態を示すもので、図５に示したと同様な構成としてある沈殿池槽設備において、従来、沈殿池槽１６の底盤１４の下を通して地中に埋設するようにしていた原水流入管１７及び汚泥排出管１８を、共に、沈殿池槽１６の側壁１５を貫通させて槽内に導き、更に、底盤１４上を這わせて槽内の中心部に先端部を位置させるように配管し、且つこれら原水流入管１７及び汚泥排出管１８が底盤１４上に直接露出しないように、底盤１４の上面に無筋コンクリートによる内底盤３５を原水流入管１７や汚泥排出管１８の外径よりも高くなるような厚みで周方向に一様に布設して、原水流入管１７及び汚泥排出管１８の上面を無筋コンクリートで覆い内底盤３５の中に上記原水流入管１７及び汚泥排出管１８を収納させるようにする。
【００１５】
なお、上記原水流入管１７及び汚泥排出管１８は、底盤１４上に配置した際に該底盤１４に固定してもよく、又、単に載置させるだけでもよい。その他の構成は図５に示したものと同じであり、同一部分には同一符号が付してある。
【００１６】
原水流入管１７及び汚泥排出管１８は、底盤１４上に配設されているが、該底盤１４の上面に一様な厚みに布設されている内底盤３５内に収納されているため、集泥機３４の掻寄せ板３３の運転に支障を来すことはない。
【００１７】
原水流入管１７や汚泥排出管１８の保守や補修を行う場合は、内底盤３５内に収納されている原水流入管１７や汚泥排出管１８の上方部の内底盤３５表面を部分的に除去し原水流入管１７や汚泥排出管１８を沈殿池６内に露出させて行うようにする。この場合、内底盤３５は無筋コンクリート製であることから容易に除去することができ、原水流入管１７や汚泥排出管１８の上方部のみを部分的に除去するだけで原水流入管１７や汚泥排出管１８を露出させることができるので、保守や補修、更には更新等を楽に行うことができる。又、保守や補修の終了後は、除去した部分だけを無筋コンクリートで修復させるようにすればよいので、復旧作業も容易に行うことができ、コスト的にも有利となる。
【００１８】
次に、図２は本発明の実施の他の形態として、原水流入管１７、汚泥排出管２８を内底盤３５内に収納する仕方の他の形態を示すもので、内底盤３５を布設する際に、予め原水流入管１７、汚泥排出管１８（図では原水流入管１７の部分についてのみ示す）を収納できるスペースを有する配管収納用凹部３６をそれぞれ形成し、該配管収納用凹部３６内に原水流入管１７、汚泥排出管１８を収納させて、隙間にモルタル等の充填材３７を充填するようにしたものである。
【００１９】
図２に示すようにすると、原水流入管１７や汚泥排出管１８の保守や補修時に、内底盤３５自体は壊さずに、充填材３７だけを取り去ることで原水流入管１７や汚泥排出管１８を露出させることができるので、復旧作業がより容易となる。
【００２０】
次いで、図３は本発明の実施の更に他の形態を示すもので、図２に示したと同様な構成において、配管収納用凹部３６内に充填材３７を充填することに代えて、配管収納用凹部３６の上面部に、鉄板製あるいは樹脂製の如き蓋３８を着脱自在に配置して配管収納用凹部３６を塞ぐようにして原料流入管１７及び汚泥排出管１８を収納させるようにしたものである。
【００２１】
図３に示すようにすると、蓋３８の着脱により配管収納用凹部３６を塞いだり、開放したりすることができるので、原料流入管１７や汚泥排出管１８の保守、補修作業や復旧作業を更に容易に行うことができる。
【００２２】
なお、図２の実施の形態では、配管収納用凹部３６の隙間に充填する充填材３７としてモルタルを用いるようにした場合を示したが、ウレタンフォーム等、他のものを用いてもよいこと、その他本発明の要旨を逸脱しない範囲内において種々変更を加え得ることは勿論である。
【００２３】
【発明の効果】
以上述べた如く、本発明の沈殿池槽設備によれば、コンクリート製の底盤と側壁とからなる沈殿池槽を、上記底盤が地中に埋設されるように築造し、原水流入管及び汚泥排出管を、上記側壁を貫通させて槽内に導き上記底盤上を這わせて槽内中心部に先端部を位置させるように配管し、且つ上記底盤の上面に、無筋コンクリートによる内底盤を、上記底盤上に配管された原水流入管や汚泥排出管の外径寸法よりも高くなるような厚みで周方向に一様に布設して、上記原水流入管及び汚泥排出管を無筋コンクリートで覆い、該内底盤内に上記原水流入管及び汚泥排出管を収納させるようにした構成としてあるので、原水流入管や汚泥排出管の保守、補修を行うときに、これらの配管が埋設されている個所の内底盤を部分的に除去するだけで済み、又、復旧も容易に行うことができることからコスト的にも有利となり、更に、内底盤内への原水流入管及び汚泥排出管の収納を、内底盤に予め原水流入管、汚泥排出管を収納できるスペースを有する配管収納用凹部をそれぞれ形成して、該各配管収納用凹部内に原水流入管、汚泥排出管を収納させ、且つ該配管収納用凹部内と原水流入管及び配管収納用凹部内と汚泥排出管との隙間に充填材を充填させると共に該充填材で原水流入管及び汚泥排出管の上面を覆うようにした構成とすることにより、充填材を取り去るだけで配管の保守、補修を行うことができるので、復旧作業がより容易となり、一方、配管収納用凹部に充填材を充填することに代えて、配管収納用凹部に蓋を着脱自在に配置して該配管収納用凹部を塞ぐようにし、該配管収納用凹部と蓋との間に原水流入管及び汚泥排出管を収納させるようにした構成とすることによって、蓋を脱着するだけで配管収納用凹部を開閉できるので、配管の保守、補修作業や復旧作業を更に容易に行うことができる、という優れた効果を発揮する。
【図面の簡単な説明】
【図１】本発明の沈殿池槽設備の実施の一形態を示すもので、（イ）は全体の概要図、（ロ）は（イ）のＡ−Ａ方向拡大断面図である。
【図２】本発明の実施の他の形態を示すもので、図１（ロ）に相当する断面図である。
【図３】本発明の実施の更に他の形態を示すもので、図１（ロ）に相当する断面図である。
【図４】水処理方式の一例を示す概略図である。
【図５】沈殿池槽設備の一例を示す概要図である。
【符号の説明】
１４  底盤
１５  側壁
１６  沈殿池槽
１７  原水流入管
１８  汚泥排出管
３５  内底盤
３６  配管収納用凹部
３７  充填材
３８  蓋
【図１】
0004092798.tif 000002
【図２】
0004092798.tif 000003
【図３】
0004092798.tif 000004
【図４】
0004092798.tif 000005
【図５】
0004092798.tif 000006